(57)【要約】      （修正有）【課題】係員が紙葉類の抜き差しの際に扉を回避して作業することや、紙幣の抜き差し作業を特定の方向から行うことを誘導しないようにする。【解決手段】紙葉類の繰出しあるいは収納を行う繰出収納部７０２と、紙葉類を抜き差しするため扉部７０１とからなる紙葉類収納庫であって、繰出収納部は、紙葉類を繰出す繰出部と紙葉類を収納する収納部とからなり、繰出部は、紙葉類を繰出すピックアップローラを有し、収納部は、ピックアップローラに対して紙葉類を押圧する押板と、紙葉類を搬送するベルトローラとを有し、押板は、ベルトローラとの接触位置からピックアップローラの方向に可動する可動領域で紙葉類を押圧し、扉部は、繰出収納部と分離可能に設けられ、収納部の可動領域を開閉する位置に設けられる。【選択図】図５
2019023769.tif 000002
【特許請求の範囲】
【請求項１】
紙葉類の繰出しあるいは収納を行う繰出収納部と、紙葉類を抜き差しするために開閉する扉部とからなる紙葉類収納庫であって、
前記繰出収納部は、紙葉類を繰出す繰出部と紙葉類を収納する収納部とからなり、
前記繰出部は、紙葉類を繰出すピックアップローラを有し、
前記収納部は、前記ピックアップローラに対して紙葉類を押圧する押板と、紙葉類を搬送するベルトローラとを有し、
前記押板は、前記ベルトローラとの接触位置から前記ピックアップローラの方向に可動する可動領域で紙葉類を押圧し、
前記扉部は、前記繰出収納部と分離可能に設けられ、前記収納部の前記可動領域を開閉する位置に設けられることを特徴とする紙葉類収納庫。
【請求項２】
前記扉部は、前記扉部あるいは前記繰出収納部を操作する取手部材と、前記取手部材を収納する取手収納部とを有し、
前記取手部材は、前記取手収納部から前記取手部材を引き出す方向と対向する方向に自重に従って傾倒し、前記取手収納部に収納されることを特徴とする請求項１に記載の紙葉類収納庫。
【請求項３】
前記扉部は、前記繰出収納部と前記扉部とを固定するロック機構と、前記ロック機構を連動させて動作させる鍵を挿入する鍵穴をさらに有し、
前記ロック機構は、前記扉部を固定する前記ロック部材を、弾性部材により前記繰出収納部に対して突出させる突出位置に移動し前記扉部と前記繰出収納部とを固定し、前記鍵穴に挿入される鍵の回転動作によって前記ロック部材を前記突出位置から移動させることにより、前記扉部と前記繰出収納部の固定を解除することを特徴とする請求項１又は請求項２に記載の紙葉類収納庫。
【請求項４】
前記ロック機構は、上下に配置される第１のロック部材と第２のロック部材とからなり、
前記第１のロック部材は、前記弾性部材により前記第１のロック部材の一部を前記突出位置に移動し、
前記第２のロック部材は、前記扉部と前記繰出収納部とを固定する封かん具を取り付ける取付部を有することを特徴とする請求項３に記載の紙葉類収納庫。
【請求項５】
前記繰出部は、紙葉類を繰出す繰出しローラを有し、
前記繰出しローラは、紙葉類に接触して前記収納部から紙葉類を繰り出すシートと、それぞれ凹部及び凸部を有する第１シート固定部材と第２シート固定部材と、前記第１シート固定部材及び前記第２シート固定部材の凸部に取り付けられるカバー部とからなり、
前記シートは、前記第1シート固定部材と前記第２シート固定部材に挟まれ、
前記第１シート固定部材の凸部と前記第２シート固定部材の凸部とは、同じ方向に突出し、前記第１シート固定部材の凹部と前記第２シート固定部材の凸部との噛み合わせによって、前記第１シート固定部材と前記第２シート固定部材とが二重構造を形成することを特徴とする請求項４に記載の紙葉類収納庫。
【請求項６】
前記扉部は、前記封かん具を収納する封かん具収納部を有し、前記取手収納部と前記封かん具収納部とを一体として構成することを特徴とする請求項５に記載の紙葉類収納庫。
【請求項７】
前記取手部材の一部は、流線形状で構成されることを特徴とする請求項６に記載の紙葉類収納庫。
【請求項８】
紙葉類の入出金を行う入出金口と、紙葉類を搬送する搬送路と、紙葉類の判別を行う判別部と、紙葉類を一時的に保留する一時保管庫と、紙葉類を金種別に収納する紙葉類収納庫とを有する自動取引装置であって、
前記紙葉類収納庫は、紙葉類の繰出しあるいは収納を行う繰出収納部と、前記繰出収納部から分離可能な扉部とからなり、
前記繰出収納部は、紙葉類を繰出す繰出部と紙葉類を収納する収納部とからなり、
前記繰出部は、紙葉類を繰出すピックアップローラを有し、
前記収納部は、前記ピックアップローラに対して紙葉類を押圧する押板と、紙葉類を搬送するベルトローラとを有し、
前記押板は、前記ベルトローラとの接触位置から前記ピックアップローラの方向に可動する可動領域で紙葉類を押圧し、
前記扉部は、前記収納部の前記可動領域を開閉する位置に設けられることを特徴とする自動取引装置。
【請求項９】
前記扉部は、前記扉部あるいは前記繰出収納部を操作する取手部材と、前記取手部材を収納するための取手収納部とを有し、
前記取手部材の一部は、流線形状で構成され、
前記取手部材の前記扉部との接触端部を結ぶ直線は、前記自動取引装置へ前記紙葉類収納庫を収納する収納方向であることを特徴とする請求項８に記載の自動取引装置。
【請求項１０】
前記取手部材は、自重に従って前記収納方向と対向する方向に傾倒して前記取手収納部に収納されることを特徴とする請求項９に記載の自動取引装置。
【請求項１１】
前記扉部は、前記繰出収納部と前記扉部とを固定するロック機構と、前記ロック機構と連動させて動作させる鍵を挿入する鍵穴をさらに有し、
前記扉部を固定する前記ロック部材を、弾性部材により前記繰出収納部に対して突出させる突出位置に移動し前記扉部と前記繰出収納部とを固定し、前記鍵穴に挿入される鍵の回転動作によって前記ロック部材を前記突出位置から移動させることにより、前記扉部と前記繰出収納部の固定を解除することを特徴とする請求項１０に記載の自動取引装置。
【請求項１２】
前記ロック機構は、上下に配置される第１のロック部材と第２のロック部材とからなり、
前記第１のロック部材は、前記弾性部材により前記第１のロック部材の一部を前記突出位置に移動し、
前記第２のロック部材は、前記扉部と前記繰出収納部とを固定する封かん具を取り付ける取付部を有することを特徴とする請求項１１に記載の自動取引装置。
【請求項１３】
前記繰出収納部は、紙葉類を繰出す繰出部と紙葉類を収納する収納部とからなり、
前記収納部は、前記繰出部の方向に紙葉類を押圧する押板を有し、
前記扉部は、前記収納部の上部に配置され、
前記押板は、前記収納部の端部から前記繰出し部まで可動することを特徴とする請求項１２に記載の自動取引装置。
【請求項１４】
前記繰出部は、紙葉類を繰出す繰出しローラを有し、
前記繰出しローラは、紙葉類に接触して前記収納部から紙葉類を繰り出すシートと、それぞれ凹部及び凸部を有する第１シート固定部材と第２シート固定部材と、前記第１シート固定部材と前記第２シート固定部材の凸部に取り付けられるカバー部とからなり、
前記シートは、前記第1シート固定部材と前記第２シート固定部材に挟まれ、
前記第１シート固定部材の凸部と前記第２シート固定部材の凸部とは、同じ方向に突出し、前記第１シート固定部材の凹部と前記第２シート固定部材の凸部との噛み合わせによって、前記第１シート固定部材と前記第２シート固定部材とが二重構造を形成することを特徴とする請求項１３に記載の自動取引装置。
【請求項１５】
前記扉部は、前記封かん具を収納する封かん具収納部を有し、前記取手収納部と前記封かん具収納部とを一体として構成することを特徴とする請求項１４に記載の自動取引装置。
【請求項１６】
紙葉類の繰出しあるいは収納を行う繰出収納部と、紙葉類を抜き差しするために開閉する扉部とからなる紙葉類収納庫であって、
前記繰出収納部は、紙葉類を繰出す繰出部と紙葉類を収納する収納部とからなり、
前記扉部は、紙葉類を抜き差しする方向に分離可能に設けられることを特徴とする紙葉類収納庫。
【発明の詳細な説明】
【技術分野】
【０００１】
本発明は、紙葉類収納庫及び自動取引装置に関する。
【背景技術】
【０００２】
金融機関等で使用されるＡＴＭ（Ａｕｔｏｍａｔｅｄ  Ｔｅｌｌｅｒ  Ｍａｃｈｉｎｅ）等の自動取引処理装置は、利用者の入金取引や出金取引といった取り引きを継続して行うため、紙幣を還流利用する紙葉類収納庫をその装置内に有する。
紙葉類収納庫には、運用のため予め多少の現金を収納しておくことや、現金が一杯になった場合には紙幣を回収することが必要となる。そのため、紙葉類収納庫には、係員が現金を抜き差しするための扉が設けられている。また、扉を有することにより、現金収納庫の運用時や運搬時の安全性を確保している。
例えば、特許文献１には、紙葉類収納庫の一端に設けられるヒンジ部を介して金属板によって形成される扉を備える紙葉類収納庫が開示されている。
【先行技術文献】
【特許文献】
【０００３】
【特許文献１】特開２０１３−２００７９１号公報
【発明の概要】
【発明が解決しようとする課題】
【０００４】
しかし、紙葉類収納庫に固定される扉の場合、係員が現金の抜き差しを行う際に扉を回避して作業することや、紙幣の抜き差し作業を特定の方向から行うことを誘導しかねず、係員の作業効率を低下させるおそれがある。特に、自動処理装置の設置される国や場所によっては、流通紙幣が多いことや利用者により頻繁に取り引きが行われるため、紙葉類収納庫を効率的に運用することが必要なため、紙葉類収納庫の操作性の向上や大容量化の必要がある。
【課題を解決するための手段】
【０００５】
紙葉類の繰出しあるいは収納を行う繰出収納部と、紙葉類を抜き差しするため扉部とからなる紙葉類収納庫であって、繰出収納部は、紙葉類を繰出す繰出部と紙葉類を収納する収納部とからなり、繰出部は、紙葉類を繰出すピックアップローラを有し、収納部は、ピックアップローラに対して紙葉類を押圧する押板と、紙葉類を搬送するベルトローラとを有し、押板は、ベルトローラとの接触位置からピックアップローラの方向に可動する可動領域で紙葉類を押圧し、扉部は、繰出収納部と分離可能に設けられ、収納部の可動領域を開閉する位置に設けられる。
【発明の効果】
【０００６】
自動取引装置の紙葉類収納庫へ紙幣の抜き差しを円滑に行うことができるため、自動取引装置及び紙葉類収納庫の効率的な運用を行うことができる。
【図面の簡単な説明】
【０００７】
【図１】自動取引装置の外観を示す斜視図である。
【図２】自動取引装置の制御関係を示すブロック図である。
【図３】紙幣入出金機の構成を示す側面図である。
【図４】紙幣入出金機の制御関係を示すブロック図である。
【図５】リサイクル庫の外観図である。
【図６】扉部の構成を示す図である。
【図７】取手の構成を示す図である。
【図８】取手の構成を詳細に示す図である。
【図９】ロック機構の構成を示す図である。
【図１０】ロック機構のロック解除時の構成を示す図である。
【図１１】扉部をロックする際のロック機構の動きを示す図である。
【図１２】ロック機構が、扉部をロックしている筐体を示す図である。
【図１３】紙葉繰出収納部の構成を示す図である。
【図１４Ａ】上部掻き出しローラの構成部材を示す図である。
【図１４Ｂ】上部掻き出しローラの構成を示す図である。
【図１４Ｃ】シートの形状を示す図である。
【図１５Ａ】封かん具を示す図である。
【図１５Ｂ】封かん具固定機構の構成を示す図である。
【発明を実施するための形態】
【０００８】
以下、本発明の一実施の形態について図面を参照して説明する。
［実施形態１］
図１は、本発明を適用する自動取引装置１００の外観を示す斜視図の一例である。
自動取引装置１００の筐体１０１の上部には、その上部正面板１０１ｂに設けられたカードスロット１０２ａと連通し、利用者のカードの処理や、取引明細票の印字処理をして放出するカード・明細票処理機構１０２を備える。また、通帳スロット１０３ａと連通し、利用者の通帳を処理する通帳処理機構１０３を備えている。
【０００９】
また、筐体１０１の下部には、紙幣を処理する紙幣入出金機構１を備える。また、中間部には、取引の内容を表示および入力する顧客操作部１０５が設けられている。また、自動取引装置１００の内部には、各構成部の制御を司る本体制御部１０６を備える。さらに、自動取引装置１００の前面上部には、入金あるいは出金といった利用者が取引可能な取引種別を示す取引表示器１０７を備える。
【００１０】
図２は、自動取引装置１００の制御関係を示すブロック図の一例である。
自動取引装置１００は、図１で示す構成部の他に、係員が自動取引装置１００への操作指示を行う係員操作部１０６ｃを備える。また、自動取引装置１００で行う取引情報や紙幣入出金機構で格納する現金情報等の種々の情報を格納する外部記憶装置１０６ｄを備える。さらに、自動取引装置１００の電源のＯＮ／ＯＦＦを制御する電源部１０１ｅを備える。
【００１１】
自動取引装置１００の各構成部は、バス１０６ａを介して本体制御部１０６と接続されており、本体制御部１０６の制御の下に必要な動作を行う。インタフェース部１０６ｂは、外部コンピュータとデータのやり取りを行なう。
【００１２】
図３は、自動取引装置１００の紙幣入出金機構１の構成を示す側面図の一例である。
紙幣入出金機構１は、利用者が紙幣の投入・取り出しを行う入出金口２０と、紙幣の判別を行う紙幣判別部３０と、入金した紙幣を取引成立までの間一旦収納する一時保管庫４０と、リサイクルに使用しない紙幣を収納する入金庫６０と、入出金兼用のリサイクル庫７０と、紙幣判別部３０を通り、入出金口２０、一時保管庫４０、入金庫６０、リサイクル庫７０に対し、紙幣を搬送する紙幣搬送路５０と、図示せぬ制御部とから構成されている。
【００１３】
図４は、紙幣入出金機構１の内部構成を示すブロック図の一例である。
制御部３５は、自動取引装置１００の本体制御部１０６とバス１０６ａを介して接続される。また、制御部３５は、本体制御部１０６からの指令および紙幣入出金機構１の状態検出に応じて紙幣入出金機構１の制御を行ったり、紙幣入出金機構１の状態を必要に応じて本体制御部１０６に送ったりする。
【００１４】
制御部３５は、各構成部の駆動モータ、電磁ソレノイドあるいはセンサと接続され、実行する取引に応じて、センサで状態を監視しながら、アクチュエータを駆動制御する。
【００１５】
また、紙幣入出金機構１は、図３に示すように、入出金口２０、紙幣判別部３０、一時保管庫４０及び紙幣搬送路５０から構成される上部搬送機構１ａと、入金庫６０、リサイクル庫７０及び各収納庫の前面に配され開閉可能な搬送路９０から構成される下部紙幣機構１ｂから構成される。下部紙幣機構１ｂは、約５０ｍｍ程度の厚い鉄板で構成される金庫筐体１０６の中に実装されており、上部搬送機構１ａと下部紙幣機構１ｂとの搬送路は、連結搬送路５０１ｈで接続されている。
【００１６】
連結搬送路５０１ｈは、下部紙幣機構１ｂを囲う金庫筐体１０６の上面鉄板の上部搬送機構１ａの搬送路５０１ｇと下部紙幣機構１ｂの搬送路９０１ａの連結する位置に設けられる。上面鉄板にあけられたスリットは、紙幣が通過するための長さと該スリットに搬送されてきた紙幣を挟持して繰り出すよう取り付けられた搬送ローラの幅の大きさを有する。
【００１７】
下部紙幣機構１ｂを金庫筐体で囲わない構成を取る場合は下部紙幣機構１ｂ上に直接上部搬送機構１ａが載置されれば必ずしも必要はない。搬送路の駆動源（モータ）は、上部搬送機構の搬送路と下部紙幣機構の搬送路で別々に設けてもよいが、単一の駆動源を用い、駆動力を搬送路５０１ｇ−５０１ｈ−９０１ａ間に設けられたギヤで伝達するようにしてもよい。
【００１８】
また、紙幣搬送路５０は、紙幣判別部３０を双方向に通過し、矢印５０１ａ〜５０１ｈおよび９０１ａ〜９０１ｅに示す搬送路を経由して、入出金口２０、一時保管庫４０、入金庫６０、リサイクル庫７０を接続する。
【００１９】
紙幣搬送路５０のうち、下部紙幣機構１ｂにあって、入金庫６０およびリサイクル庫７０の前部にある５ヶ所の紙幣搬送路９０１ａ〜ｅは、一体となって開閉できるようにされた開閉搬送路９０を構成しており、係員は、開閉搬送路９０を開いて入金庫６０、リサイクル庫７０の操作を行うことができる。
【００２０】
以降では、本実施の形態におけるリサイクル庫７０の一例について説明する。
図５は、リサイクル庫７０の外観図の一例を示す。
リサイクル庫７０は、紙幣の収納と上部搬送機構１ａへ紙幣の繰出しのできる収納庫であり、扉部７０１及び紙幣繰出収納部７０２から構成される。扉部７０１は、係員等が紙幣繰出収納部７０２へアクセスするために開閉される。例えば、扉部７０１は、係員等が、リサイクル庫７０から回収又は補充する際に開閉される。
【００２１】
また、扉部７０１は、紙幣繰出収納部７０２から分離可能な構成となっている。本実施形態では、扉部７０１が設置され紙幣を抜き差しする面をリサイクル庫７０の上面とし、紙幣を抜き差しする方向に扉部７０１が分離可能に設けられる。扉部７０１の詳細については、図６を用いて後述する。
さらに、紙幣繰出収納部７０２は、紙幣を収納する紙幣収納部と、収納する紙幣を回収／繰り出すための紙幣繰出部とから構成される。
【００２２】
図６は、扉部７０１の構成の一例を示す図である。
扉部７０１は、取手７０３、取手収納部７０８、ロック機構７０４及び封かん具固定機構７０５を有する。
【００２３】
取手７０３は、扉部７０１及びリサイクル庫７０を操作するための構成部である。
例えば、取手７０３は、扉部７０１を紙幣繰出収納部７０２から分離／装着する際や、リサイクル庫７０の紙幣入出金機構１への脱着や運搬をする際に用いられる。
【００２４】
取手収納部７０８には、取手７０３が収納される。取手７０３は、取手収納部７０８に収納された状態で紙幣入出金機構１に収納される。取手７０３及び取手収納部７０８の構成については、図７及び図８を用いて後述する。
【００２５】
ロック機構７０４は、扉部７０１と紙幣繰出収納部７０２とをロックするための機構である。ロック機構７０４は、鍵穴７２５に挿入される鍵の動きと連動して動作する。ロック機構７０４の詳細な機構については、図９等を用いて後述する。
【００２６】
封かん具固定機構７０５は、扉部７０１とロック機構７０４とを封かん具（図１５Ｂで詳述）によって固定する機構である。リサイクル庫７０は、封かん具によってロック機構７０４のロック状態を維持することができ、リサイクル庫７０の密閉状態を保つことができる。
【００２７】
係員は、紙幣収納機構１にリサイクル庫７０を設置する際、リサイクル庫７０に封かん具を固定する。また、係員は、リサイクル庫７０に収納される紙幣を補充／回収する際、固定される封かん具を外して扉部７０１を開閉する。
【００２８】
以上のように、本実施形態のリサイクル庫７０の扉部７０１は、紙幣繰出収納部７０２と分離する構成であるため、係員は、作業時に扉部７０１を紙幣繰出収納部７０２から外して作業することができる。そのため、扉部７０１を回避しながら現金の抜き差し作業をすることが不要となり、リサイクル庫７０の操作性を向上できる。また、紙幣繰出収納部７０２に対し、あらゆる方向から現金の抜き差しが可能となることにより係員の操作性や作業効率の向上を図ることができる。さらに、扉部７０１は、ヒンジ部を介して取り付けられるものではないため、外部から受けるヒンジ部への衝撃により、扉部７０１ひいてはリサイクル庫７０の破損が生じることはない。
【００２９】
図７は、取手７０３の構成の一例を示す図である。図７は、扉部７０１が設置される面であるリサイクル庫７０の上面に対し、リサイクル庫７０の側面からリサイクル庫７０を描画する図である。
取手７０３は、その重心がリサイクル庫７０の中心７０６からずれて構成される（矢印７０７方向）。そのため、取手７０３は、持ち上げられた状態から解放されると自重で倒れ、取手収納部７０８の方向に傾倒して収納されるように構成されている。従って、係員は、取手７０３を逐次取手収納部７０８に収納する手間を要せず、円滑にリサイクル庫７０を取り扱うことができると共に、係員の作業効率を向上することができる。
【００３０】
図８は、取手７０３の構成を詳細に示す図の一例である。
取手７０３は、扉部７０１との接続部となる二つの端点にストッパ部７０９を構成する。ストッパ部７０９は、取手７０３が、取手７０３の重心の傾き方向とは反対方向（矢印７１０方向）に倒れるのを防止する。
【００３１】
そのため、取手７０３は、取手７０３の重心の傾き方向と反対方向に倒れることなく、必ず自重によって取手収納部７０８に収納される。
また、取手７０３の持ち手部分から端部にかけての形状は、流線状で構成される。そのため、紙幣入出金機１にリサイクル庫７０を収納する際に、取手７０３が、紙幣入出金機１の内側に構成される部材に接触しても、取手７０３の流線状の形状部分が緩衝部材となり、取手７０３に与える衝撃を軽減することができる。また、取手７０３の流線状部分への接触により、取手７０３が、自重により取手収納部７０８に収納される。特に、取手７０３が扉部７０１に取り付けられる端部を結ぶ直線が、リサイクル庫７０を紙幣入出金機１への挿入方向になるように取手７０３を配置する場合、その効果は顕著に表れる。
【００３２】
図９は、ロック機構７０４の構成の一例及びロック時のロック機構７０４の動きを示した図である。
扉部７０１は、紙幣繰出収納部７０２への対向面（扉部７０１の内面）に図９に示すロック機構７０４を有する。図９は、扉部７０１の内面に設けられるロック機構７０４を図示する。ロック機構７０４は、ロック部材Ａ７１１、ロック部材Ｂ７１２、バネ７１３及びキープレート７１４から構成される。
【００３３】
扉部７０１に備えられるロック部材Ａ７１１及びロック部材Ｂ７１２が、紙幣繰出収納部７０２の端部に突出することによりロックする。ロック部材Ａ７１１とロック部材Ｂ７１２とは、上下に配置されるがそれぞれ分離して動作する。本実施形態では、ロック部材Ａ７１１が上部に配置され、その下部にロック部材Ｂ７１２が配置されるものとする。
【００３４】
バネ７１３は、ロック部材Ａ７１１を扉部７０１の端面から突出する方向（矢印７１６方向）に動作させ、扉部７０１と紙幣繰出収納部７０２とをロックする。キープレート７１４は、鍵穴７２５に挿入される鍵の回転に連動して動作するプレートである。
【００３５】
図９は、ロック部材Ａ７１１が、扉部７０１の端部７１５から突出する突出位置に移動し、扉部７０１と紙幣繰出収納部７０２とをロックしている状態を図示する。
また、下部に配置されるロック部材Ｂ７１２は、封かん具固定穴Ａ７６１が構成されており、封かん具の固定が可能である。
ロック部材Ｂ７１２の封かん具固定穴Ａ７６１と扉部７０１とを封かん具により固定することで、扉部７０１と紙幣繰出収納部７０２とをロックすることができる。
【００３６】
本実施形態では、上部に配置されるロック部材Ａ７１１とバネ７１３とが接続し、ロック部材Ａ７１1の一部が扉部７０１から突出することにより、扉部７０１と紙幣繰出収納部７０２とのロックを行うものとする。なお、バネ７１３と接続されるのは、下部に配置されるロック部材Ｂ７１２とする構成にしても良い。
【００３７】
また、ロック機構７０４は、１部品として構成してもよいが、本実施形態のように、扉部７０１の端部７１５からその一部を突出させるロック部材Ａ７１１と、突出せずに構成される封かん具固定穴Ａ７６1を有するロック部材Ｂ７１２の２部品構成とすることにより、ロックされていている状態あるいはロックが解除されている状態のいずれにおいても封かん具を取り付けることができる。そのため、ロック機構の動作性を確保しつつ、封かん具の取り付けタイミングを制限せずに操作性のよいロック機構を実現することができる。
【００３８】
図１０は、ロック解除時のロック機構７０４の動きを示した図である。
ロックの解除には、鍵穴７２５に挿入される鍵を矢印７１７方向に回転させてキープレート７１４を回転させることで、ロック部材Ａ７１１及びロック部材Ｂ７１２を矢印７１８方向に移動させてロックを解除する。そのため、ロックの解除の際には、鍵穴７２５への鍵の挿入が必要となる。
【００３９】
図１１は、扉部７０１をロックする際のロック機構７０４の動きを、ロック機構７０４の側面より説明する図である。また、図１２は、ロック機構７０４が、扉部７０１をロックしている状態をロック機構７０４の側面より説明する図を示す。
【００４０】
扉部７０１が、紙幣繰出収納部７０２へ装着される際、ロック機構７０４は、紙幣繰出収納部７０２の端部７２０に接触する。また、装着方向（矢印７１９方向）へ押圧力をかけることにより、ロック部材Ａ７１１は、矢印７２１方向に移動する（図１１）。そして、ロック機構７０４が端部７２０との接触終えると、バネ７１３のバネ力によりロック部材Ａ７１１が端部７２０の下部に突出することにより、扉部７０１と紙幣繰出収納部７０２とをロックする（図１２）。
【００４１】
以上のように、鍵穴７２５に挿入される鍵の回転動作に伴って、ロック部材の突出状態を操作することにより扉部７０１の解錠及び施錠ができる。また、本実施形態のロック機構７０４は、鍵穴７２５の鍵の操作がなくとも、ロック部材Ａ７１１の可動により扉部７０１が開いた状態から扉部７０１をロックすることができる。即ち、扉７０１を開ける際には、鍵の操作を必要とするが、反対に、扉７０１を閉める際には、鍵の操作を不要で操作することができる。そのため、リサイクル庫７０に収納される現金の安全性を確保しながら、扉７０１を開閉して操作する係員の操作効率を向上することができる。
【００４２】
図１３は、紙葉繰出収納部７０２の構成の一例を示す図である。
紙幣繰出収納部７０２は、紙幣を収納する紙幣収納部１３００と、収納する紙幣を回収／繰り出すための紙幣繰出部１３０２とから構成される。
紙幣繰出部１３０２は、スタック・フィードローラ７３１、ピックアップローラ７４１、バックアップローラ７３２、ゲートローラ７３３、ブラシローラ７３４及び分離・スタックガイド７３５を有する。
【００４３】
スタック・フィードローラ７３１は、リサイクル庫７０から紙幣の繰出しあるいは収納の際に紙幣の繰出しあるいは収納方向に回転し、対向するバックアップローラ７３２と紙幣を挟持して搬送するための構成部である。
ピックアップローラ７４１は、紙幣繰出し時にスタック紙幣を一枚ずつ抜き出すための構成部である。
【００４４】
バックアップローラ７３２は、スタック・フィードローラ７３１に対向する位置に配置され、スタック・フィードローラ７３１と紙幣を挟持して搬送するための構成部である。
ゲートローラ７３３は、スタック・フィードローラ７３１に対向する位置に配置され、スタック・フィードローラ７３１と紙幣を挟持して搬送し、紙幣繰出し時には繰り出し方向には回転しないことで２枚送りを防止しながら紙幣を１枚ずつ搬送するための構成部である。
【００４５】
ブラシローラ７３４は、ゲートローラ７３３と同一軸上に構成され、弾性部材が放射状に配置されており、ブラシローラ７３４を回転させることにより、紙幣収納部１３００に連続して収納される紙幣を干渉することなく集積するための構成部である。
【００４６】
分離・スタックガイド７３５は、紙幣の分離あるいはスタック時に動作する。分離・スタックガイド７３５の近傍には、鋸歯状の外周形状を持つ回転する上部掻き出しローラ７４２と、収納部の下部のゲートローラ７３３の近傍に鋸歯状の外周形状を持つ回転する下部掻き出しローラ７３９とが設けられる。上部掻き出しローラ７４２と下部掻き出しローラ７３９は、それぞれ紙幣の上下端部を掻き出してリサイクル庫７０から紙幣を繰り出す。
【００４７】
紙幣収納部１３００では、紙幣は、底板７３８及び押板７３６により紙幣下面を支持するように懸架された底面平ベルト７３７と、分離・スタックガイド７３５で囲まれた収納空間に収納される。そして、押板７３６と底面ベルト７３７は、一体となって、収納空間内を可動する。また、押板７３６は、ピックアップローラ７４１とは反対側に設けられるベルトローラ７６０の接触位置、即ち、紙幣収納部１３００の端部から、ピックアップローラ７４１の設置方向に収納空間内を可動し、紙幣を紙幣繰出し部１３０２の方向に押圧する。
また、扉部７０１は、押板７３６の可動する領域を開閉する位置に設けられる（図１３に示すリサイクル庫７０の上面）。そのため、扉部７０１を紙幣繰出収納部７０２から外すと、紙幣収納部１３００を臨むことができる。
【００４８】
分離・スタックガイド７３５は、通常時、上部掻き出しローラ７４２に接するように位置する（図１３の７３５）。分離動作時には、分離・スタックガイド７３５は、スタック・フィードローラ７３１及びピックアップローラ７４１の方向に位置（破線７３５ａで示す位置）するように移動する。
【００４９】
また、スタック動作時には、分離・スタックガイド７３５は、押板７３６及び底面ベルト７３７と一体となって収納空間内を可動し、収納紙幣の増加に伴い、矢印９０２ｂの方向に搬送された進入紙幣と収納紙幣が干渉しないよう、収納紙幣を分離・スタックガイド７３５から遠ざける方向に移動制御される。この時、上部掻き出しローラ７４２は左周りに、下部掻き出しローラ７３９は右回りに回転し、スタック済み紙幣の上下端部は、鋸歯状の外周部によって支持される。そして、スタック済み紙幣は、押板７３６側に掻き出されながら、紙幣の立位状態を維持される。
【００５０】
以上のように、分離・スタックガイド７３５は、分離動作時、スタック動作時に可動することにより、スタック済み紙幣を順次分離して繰出すことや、紙幣を立位状態で整列して紙幣収納部に収納させることができる。
【００５１】
また、リサイクル庫７０から繰出される紙幣は、紙幣収納部に備えられるばね（不図示）によって押圧されることにより、ピックアップローラ７４１側に移動し押しつけられる。
ピックアップローラ７４１に押し付けられた紙幣は、回転するスタック・フィードローラ７３１で送り出され、繰り出し方向には回転しないゲートローラ７３３で２枚送りを防止しながら矢印９０２ｂの方向に一枚ずつ搬送される。また、紙幣搬送路の切り替えゲート９０３は、図示９０３ｂの方向に切り替わり、紙幣が、矢印９０１ｂの方向に搬送される。
【００５２】
図１４Ａは、上部掻き出しローラ７１２の構成部材の一例を示す図である。
上部掻き出しローラ７１２は、シート固定部材Ａ７５１、シート固定部材Ｂ７５２、シート７５３及びカバー７５４を有する。
上部掻き出しローラ７１２は、複数枚からなるシート７５３を固定することにより、紙幣と接触し、紙幣を掻き出すための羽根を構成する。シート固定部材は、複数枚のシート７５３を固定するための部材である。シート固定部材Ａ７５１及びシート固定部材Ｂ７５２は、それぞれ凹部と凸部とを有し、シート７５３を凹部に差し込むことにより、シート７５３を固定する。
【００５３】
シート固定部材Ａ７５１の凸部とシート固定部材Ｂ７５２の凸部は、同じ方向に突出し、シート固定部材Ａ７５１の凹部がシート固定部材Ｂ７５２の凸部へ、シート固定部材Ａ７５１の凸部がシート固定部材Ｂ７５２の凹部にそれぞれ差し込まれ、噛み合わさることにより、シート固定部材Ａ７５１とシート固定部材Ｂ７５２とが上下に重なる。シート固定部材Ａ７５１とシート固定部材Ｂ７５２との二重構造とすることにより、シート７５３とシート固定部材との隙間をなくし、シート７５３を頑丈に固定することができる。また、カバー７５４は、シート固定部材Ａ７５１及びシート固定部材Ｂ７５２の凸部に対して接着して取り付けられる。
【００５４】
以上のように、シート７５３は、一方をシート固定部材Ａ７５１及びシート固定部材Ｂ７５２の凹部にさしこまれた状態で固定され、他方をカバー７５４によって固定されることにより頑強な構造となっている。そのため、リサイクル庫７０から確実に紙幣を繰り出すことができる。
【００５５】
図１４Ｂは、上部掻き出しローラ７１２の回転方向が、上下となる方向から上部掻き出しローラ７１２を描画したものである。
また、図１４Ｃは、本実施形態のシート７５３の形状の一例を示す。シート７５３は、略長方形の形状で構成される。シート７５３は、その一部に凹部７５５を有する。凹部７５５は、シート固定部材Ａ７５１及びシート固定部材Ｂ７５２の凸部の根元部分に接触するように配置される。
【００５６】
これにより、凹部７５５が、シート固定部材Ａ７５１及びシート固定部材Ｂ７５２の凸部にひっかかり、シート７５３をシート固定部材Ａ７５１及びシート固定部材Ｂ７５２から外れにくくすることができる。
【００５７】
また、凹部７５５が、シート固定部材Ａ７５１及びシート固定部材Ｂ７５２へのシート７５３の取り付け位置の目印となり、正しい位置にシート７５３を取り付けさせることができる。
【００５８】
図１５Ａは、封かん具７６４の一例を示す図である。封かん具７６４は、所定の長さのバンド部７７２と、バンド部７７２の一端に略角筒状のヘッド部７７０が設けられる。また、封かん具７６４は、例えば、樹脂材等により形成される。
【００５９】
ヘッド部７７０の孔内には、略短冊状の爪形成板７７４が、その根元部を孔の一方の開口部のバンド接合側に接合するようにして設けられる。
【００６０】
バンド部７７２の外面には所定ピッチで鋸の歯のような複数の刻み目が形成される。また、バンド部７７２が、環状に屈曲されてヘッド部７７０の孔に一方の開口部から差し込まれると、刻み目が爪形成板７７４の爪に引っ掛かり、バンド部７７２を固定する。
【００６１】
封かん具７６４は、バンド部７７２をヘッド部７７０の孔に差し込むと、バンド部７７２に対して人為的に直接引っ張り又は何らかの道具を利用して間接的に引っ張るような力を加えても、バンド部７７２をヘッド部７７０の孔から引き抜くことはできないように形成されている。
【００６２】
このため、リサイクル庫７０に一旦封かん具７６４が取り付けられると、その後は、ニッパ等の切断機能を有する工具を用いてバンド部７７２を切断させるようにして破損させなければ、封かん具７６４を外すことができない。そのため、封かん具７６４の状態を確認することにより、扉部７０１の開閉を確認することができる。
【００６３】
図１５Ｂは、封かん具固定機構７０５の構成の一例を示す図である。
ロック機構７０４、扉部７０１にはそれぞれ封かん具固定穴Ａ７６１、封かん具固定穴Ｂ７６２が構成される。封かん具固定穴Ａ７６１、封かん具固定穴Ｂ７６２には、封かん具７６４が通され固定される。これにより、ロック機構７０４の動作を制限し、扉部７０１が開かないように固定することができる。
【００６４】
また、固定された封かん具７６４は、扉部７０１に設けられる封かん具収納部７６３に収納することができる。そのため、取り付けられた封かん具７６４が、リサイクル庫７０を紙幣入出金機構１に脱着する際の弊害となることはない。そのため、係員は、円滑にリサイクル庫７０の脱着を行うことができる。なお、本実施形態では、封かん具収納部７６３と取手収納部７０８とが一体として構成されるものとする。
【００６５】
以上、本発明を実施するための形態を説明したが、本発明は上述の種々の例に限定されるものではなく、その趣旨を逸脱しない範囲で、種々の変更を適用することが可能である。
【符号の説明】
【００６６】
１：紙幣入出金機構、２０：入出金口、３０：紙幣判別部、３５：制御部、４０：一時保管庫、５０：紙幣搬送路、６０：入金庫、７０：リサイクル庫、９０:開閉搬送路、１００：自動取引装置、１０１：筐体、１０６：金庫筐体、１０６ａ：前面扉、５０１ａ〜５０１ｈ，９０１ａ〜９０１ｅ：紙幣搬送路、７０１：扉部、７０２：紙幣繰出収納部、７０３：取手、７０４：ロック機構、７０５：封かん具固定機構
【図１】
2019023769.tif 000003
【図２】
2019023769.tif 000004
【図３】
2019023769.tif 000005
【図４】
2019023769.tif 000006
【図５】
2019023769.tif 000007
【図６】
2019023769.tif 000008
【図７】
2019023769.tif 000009
【図８】
2019023769.tif 000010
【図９】
2019023769.tif 000011
【図１０】
2019023769.tif 000012
【図１１】
2019023769.tif 000013
【図１２】
2019023769.tif 000014
【図１３】
2019023769.tif 000015
【図１４Ａ】
2019023769.tif 000016
【図１４Ｂ】
2019023769.tif 000017
【図１４Ｃ】
2019023769.tif 000018
【図１５Ａ】
2019023769.tif 000019
【図１５Ｂ】
2019023769.tif 000020